(57)【要約】【課題】この考案は、柄の表現の自由度が大きく、立体感のある凹凸を備えたこれまでにない新規な外観を有する柄入り合皮生地を提供することを目的とする。【解決手段】上述の課題を解決するため、この考案の柄入り合皮生地１は、表皮２と、表皮２の下の第１起毛生地３ａと、第１起毛生地３ａの下の第２起毛生地３ｂを有し、表面には第１起毛生地３ａが表れる部分５ａおよび第２起毛生地３ｂが表れる部分５ｂが設けられていて、３種類以上の異なる表面状態によって柄を構成する。【選択図】図１
0003165451.tif 000002
【実用新案登録請求の範囲】
【請求項１】
表皮と、表皮の下の第１起毛生地と、第１起毛生地の下の第２起毛生地を有し、表面には第１起毛生地が表れる部分および第２起毛生地が表れる部分が設けられている柄入り合皮生地。
【請求項２】
表皮と、表皮の下の第１起毛生地と、第１起毛生地の下の第２起毛生地と、第２起毛生地の下の第３起毛生地を有し、表面には第１起毛生地が表れる部分、第２起毛生地が表れる部分および第３起毛生地が表れる部分が設けられている柄入り合皮生地。
【請求項３】
表皮を両面に有する請求項１または請求項２に記載の柄入り合皮生地。
【考案の詳細な説明】
【技術分野】
【０００１】
この考案は、表面に柄が表わされた合皮生地に関する。
【背景技術】
【０００２】
天然皮革に類似した外観を有する合成皮革（合皮）は、すでに広く普及している。皮革の銀面層のような緻密な繊維構造の表皮と起毛繊維層を重ね、レーザで部分的に表皮を除去することにより、模様を付すことも行われている。特許文献１には、サーバシステムにて決定された柄加工データに従ってレーザ加工機を駆動し、表面層の一部を除去するとこによって、合成皮革に柄加工することが記載されている。
【先行技術文献】
【特許文献】
【０００３】
【特許文献１】特開２００１−３１４６７２号
【考案の概要】
【考案が解決しようとする課題】
【０００４】
特許文献１に記載されているような合皮は、柄が付されているが、表皮およびその下の層という２種類の層の表面の相違による柄しか表わせない。また、表皮は極めて薄い素材であるため、これを除去しても段差は小さく、ほとんど平面にしか見えない。特許文献１の００３５段落にも、除去により形成される凹部は深さ０．０１ｍｍないし深さ０．５ｍｍと記載している。合皮に使用される表皮の厚さを考慮すれば、現実には０．３ｍｍ以下になると考えられる。
【０００５】
したがって、合皮に柄を付すにしても表現が限定され、他の素材に比べて単調な外観しか得られない。また、立体感のある表現もできない。この考案は、表現の自由度が大きく、これまでにない新規な外観を有する柄入り合皮生地を提供することを目的とする。
【課題を解決するための手段】
【０００６】
上述の課題を解決するため、この考案の柄入り合皮生地は、表皮と、表皮の下の第１起毛生地と、第１起毛生地の下の第２起毛生地を有し、表面には第１起毛生地が表れる部分および第２起毛生地が表れる部分が設けられている。これに第２起毛生地の下の第３起毛生地を加えて、第３起毛生地が表れる部分を設けてもよい。さらに、表皮を両面に設けて、両面に柄を表わすこともできる。
【考案の効果】
【０００７】
この考案の合皮生地は、柄の自由度が高く、変化に富んだ外観を得ることができる。また、大きな凹凸により、深みや立体感のある外観および触感を得ることができる。
【図面の簡単な説明】
【０００８】
【図１】柄入り合皮生地を示す斜視図である。
【図２】柄入り合皮生地の第１の実施例を示す断面図である。
【図３】柄入り合皮生地の第２の実施例を示す断面図である。
【考案を実施するための形態】
【０００９】
この考案を実施するための形態について図面に基づいて説明する。図１は柄入り合皮生地を示す斜視図である。
【００１０】
合皮生地１は表皮２と複数の起毛生地を重ねた構造を有する。表皮２は合皮の最上面に置かれる層であり、布地や不織布に合成樹脂を付したもので、天然皮革の外観を再現したものである。表皮はすでに普及している。厚さは０．３〜０．４ｍｍ程度である。起毛生地は２層以上５層以下で設けられ、この例では、第１起毛生地３ａと第２起毛生地３ｂの２層である。表皮２の下に第１起毛生地３ａが設けられ、さらに第１起毛生地３ａの下に第２起毛生地３ｂが設けられる。この起毛生地３はポリエステルなどを素材とするもので、厚さは０．７ｍｍ程度である。このような起毛生地もすでに合皮で使用されているが、複数の起毛生地を重ねて使用した例はない。第１起毛生地３ａと第２起毛生地３ｂは異なるものを選択する。たとえば、色や起毛の形態を変えることにより変化を付けることができる。
【００１１】
表皮２および起毛生地は接着剤によって貼り付けられ、多層構造の合皮生地が形成されている。
【００１２】
この合皮生地の表面には、表皮２の表れる表皮露出部４の外に、第１起毛生地３ａが表れる第１起毛生地露出部５ａおよび第２起毛生地３ｂが表れる第２起毛生地露出部５ｂが設けられている。これによって柄が形成される。
【００１３】
第１起毛生地露出部５ａおよび第２起毛生地露出部５ｂはレーザ加工機によって、表皮２および第１起毛生地３ａを除去することによって形成できる。さらに、第２起毛生地が表れる第３起毛生地露出部も同様に形成できる。レーザの出力を変えることによって、レーザ加工の深さを簡単に制御できるので、表皮２のみを除去する出力でレーザ照射された部位は第１起毛生地露出部５ａとなり、さらに強い出力でレーザ照射された部位は第１起毛生地３ａも取り除かれて第２起毛生地露出部５ｂになる。コンピュータによって制御されるレーザ加工機は普及しており、加工データを選択することによって、精密な模様が自由に表現される。
【００１４】
図１の例においても、表皮露出部４、第１起毛生地露出部５ａおよび第２起毛生地露出部５ｂによって３種類の表面状態の違いによる模様が形成されるので、変化に富んだ柄が得られる。また、第２起毛生地露出部５ｂは表皮露出部４よりも１ｍｍ程度の深さでくぼんでおり、凹凸感も顕著である。
【００１５】
この皮革生地は、さまざまな製品に使用できる。たとえば、ソファーなどの家具に使用できる。天然皮革のような煩雑な手入れが不要で、水分や汚れにも強い合皮であるので、自動車のシートの素材などにも使用できる。さらに、靴やベルト、あるいはコースターやキーホルダのタグ部などにも適用できる。
【実施例１】
【００１６】
第１の実施例について説明する。図２は、柄入り合皮生地の第１の実施例を示す断面図である。この例では、表皮２、第１起毛生地３ａ、第２起毛生地３ｂが積層されているのに加え、第２起毛生地３ｂの下に第３起毛生地３ｃが設けられ、さらに第３起毛生地３ｃの下にウレタンシート６が設けられている。表皮２の厚さは０．３ｍｍ程度、起毛生地３ａ，３ｂ，３ｃはそれぞれ０．７ｍｍ程度、ウレタンシート６は１〜１．３ｍｍ程度である。したがって、合皮生地１の全体の厚さは３．５ｍｍ程度となり、従来の合皮生地に比べて十分な厚みがあるので、コースターやキーホルダなどのノベルティ商品などへの適用に向いている。
【００１７】
表面は、表皮露出部４、第１起毛生地露出部５ａおよび第２起毛生地露出部５ｂに加え、第３起毛生地３ｃが表れる第３起毛生地露出部５ｃも形成されるので、表現の幅がより広くなり、変化に富んだ柄を表わすことができる。また、凹凸もより立体的になり、深みのある表現ができる。
【実施例２】
【００１８】
第２の実施例について説明する。図３は、柄入り合皮生地の第２の実施例を示す断面図である。この例では、厚さ中心にウレタンシート６が設けられ、その両面に表皮２および２層の起毛生地３が配置されている。従って、両面に独立した柄を表わすことができる。たとえば、コースターなどに適用した場合、両面に異なる模様を施すことができる。
【符号の説明】
【００１９】
１．柄入り合皮生地
２．表皮
３．起毛生地
４．表皮露出部
５．起毛生地露出部
６．ウレタンシート
【図１】
0003165451.tif 000003
【図２】
0003165451.tif 000004
【図３】
0003165451.tif 000005